(57)【要約】【課題】記録紙を噛む込むことがなく且つ記録紙を容易にセットできる記録計の記録紙送り構造を提供する。【解決手段】記録紙送りユニットの送り側収納部の両側面に一部の高さが記録紙６の高さより突起２５１の高さ分以上高い支え板３１を配備し、支え板３１の高さに合わせて、紙押え・カバー２５の支点部２５３を保持する孔を、円を２分割して間に長方形を挿入した形状の長孔２３４にする。一方、案内板を支点部２８１で回動できる可動形の案内板２８ａとし、これをばね３０で付勢して、紙押え・カバー２５が開いている時には、案内板２８ａで記録紙６を奥へ押しやる。支え板３１の高い部分は、紙押え・カバー２５を閉じた時の突起２５１の位置を基点として奥側である。【選択図】        図１
2005022228.tif 000002
【特許請求の範囲】
【請求項１】
本体ユニットと折り畳み式の記録紙を立てた状態で収納する送り側記録紙収納部を備えた記録紙送りユニットとを筐体に収容してなる記録計であって、送り側記録紙収納部を、記録紙送りユニットのケースの底板および側板と底板の端部に近い側板下部を支点として回動する開閉式の記録紙押え・カバーの一部と記録紙を記録部へ案内する案内板とで構成し、記録紙押え・カバーの記録紙送り出し位置に、記録紙の紙離れを良くし且つ記録紙送り出し位置を位置決めする突起を有する記録計の記録紙送り構造であって、
前記案内板を、記録紙を前記支点側へ寄せるように弾性部品によって付勢された回動可能な案内板とし、
前記突起の記録紙に接触する面に相当する位置から前記支点側への前記側板の高さを、前記記録紙押え・カバーを閉じようとする際に前記突起が記録紙の上部に接触しない高さとし、
前記記録紙押え・カバーの支点を保持する孔の形状を、支点が高さ方向に移動可能な形状とし、
記録紙押え・カバーを閉じた状態においては、記録紙押え・カバーが案内板を押して、記録紙が前記突起に接触でき且つ案内板が記録紙を正常に案内する位置まで案内板を戻す、
ことを特徴とする記録計の記録紙送り構造。
【発明の詳細な説明】
【０００１】
【発明の属する技術分野】
この発明は、本体ユニットと記録紙送りユニットとを筐体に収容してなり、折り畳み式の記録紙を用いる記録計の記録紙送り構造に関する。
【０００２】
【従来の技術】
折り畳み式の記録紙を用いる記録計は構造が簡単で安価であるため、従来から広く普及している。図３は、このような記録計の従来例の構造を示し、（ａ）は右側面図、（ｂ）は左側面図である。この記録計は、本体ユニット（図３では単に本体）１と記録紙送りユニット（図３では紙送りユニット、以下では同様に「記録紙」が前につく構成要素「記録紙・・・」を「紙・・・」と呼ぶことにする）２とを不図示の筐体に収容しており、本体ユニット１には記録紙を送るための紙送り用モータ４とこれからの駆動力を紙送りユニット２に伝える伝達ギア群５とが装着されている。
【０００３】
図４は、従来例の紙送りユニット２の構造を示し、（ａ）は左側面図、（ｂ）は右側面図であり、図５は、記録紙６をセットするためにカバー部分を開いて記録紙６をセットした状態を示す右側面図である。
紙送りユニット２は、ケース２３と、ローラ駆動用ギア２１および紙送りローラ２２と、送り側紙収納部のカバーを兼ねる紙押え・カバー２５と、受け側紙収納部のカバーを兼ねる紙押え・ガイド２７と、で構成されている。
伝達ギア群５によって伝達されてきた駆動力は、ローラ駆動用ギア２１によって紙送りローラ２２に伝えられ、記録紙６を搬送する。
【０００４】
ケース２３は、底板と、両側の側板２３２と、記録紙の送り側紙収納部および受け側紙収納部を区切るための中央隔壁と、で構成され、受け側紙収納部の上方位置で紙送りローラ２２を保持している。側板２３２の送り側紙収納部側で中央隔壁に近い位置の上端には、紙押え・カバー２５を保持して位置決めするための凹部２３３が形成されている。
紙押え・カバー２５は、送り側紙収納部のカバーになるＬ字形の部分と、その先にある紙案内になる平板状の部分と、先端にあって紙送りローラ２２に被せられて記録紙を押えるカバー部分と、で構成され、ケース２３の送り側紙収納部の末端の最下部位置でその支点部２５３を保持され、約９０度回動して開閉される。Ｌ字形の部分の先端位置には、側方（図４および図５においては紙面に垂直方向）に突出している支持突起２５２と、閉じた状態において下向きとなる突起２５１と、が形成されている。この突起２５１は、記録紙６の紙離れを良くし且つ記録紙６の送り出し位置を位置決めする。支持突起２５２は、側板２３２上に突出しており、紙押え・カバー２５を閉じる際に、側板２３２の凹部２３３にはまって側板２３２に支持され、紙押え・カバー２５を位置決めする。
【０００５】
紙押え・ガイド２７は、受け側紙収納部のカバーになるＬ字形の部分と、その先にあって記録紙を押えて受け側紙収納部に確実に送り込ませる部分と、で構成され、ケース２３の受け側紙収納部の末端の最下部位置でその支点部２７１を保持され、約９０度回動して開閉される。
このような記録計の構造に関しては、記録済みの記録紙を収納する部分の構成が特許文献１に、紙送りローラを保持する構造が特許文献２に、詳しく開示されている。
【０００６】
【特許文献１】
特開平８−２９２０６号公報
【特許文献２】
特許第２７９２２４４号公報
【０００７】
【発明が解決しようとする課題】
図６は、カバー部分である紙押え・カバー２５および紙押え・ガイド２７を開いた状態である図５の状態から、これらを閉じる過程を示したものであり、（ａ）は、先に紙押え・ガイド２７を閉じて、紙押え・カバー２５を閉じる途中の状態を示している。図６（ａ）の状態では、突起２５１が記録紙６の上部に接触していないが、更に閉じようとすると、紙押え・カバー２５が支点部２５３を中心として回転するので、突起２５１が円周上を移動して記録紙６の上部に接触するようになり、記録紙６を噛み込んでしまうことがある。突起２５１が記録紙６を噛み込まないようにするためには、紙押え・カバー２５を注意してゆっくりと閉じる方法や、紙押え・ガイド２７を開き、図６（ｂ）に示した矢印の方向に、中央の隔壁に設けられている紙押付け用孔２３１から指を入れて記録紙６を奥に押しやる方法が採られており、注意深い作業や面倒な作業が必要である。
【０００８】
なお、図６（ａ）においては、紙送りローラの上部は紙押え・カバー２５の陰になるが、この部分も実線で示した。
この発明の課題は、記録紙を噛み込むことなく且つ記録紙を容易にセットすることができる記録計の紙送り構造を提供することである。
【０００９】
【課題を解決するための手段】
請求項１の発明は、本体ユニットと折り畳み式の記録紙を立てた状態で収納する送り側紙収納部を備えた紙送りユニットとを筐体に収容してなる記録計であって、送り側紙収納部を、紙送りユニットのケースの底板および側板と底板の端部に近い側板下部を支点として回動する開閉式の紙押え・カバーの一部と記録紙を記録部へ案内する案内板とで構成し、紙押え・カバーの紙送り出し位置に、記録紙の紙離れを良くし且つ紙送り出し位置を位置決めする突起を有する記録計の紙送り構造であって、前記案内板を、記録紙を前記支点側へ寄せるように弾性部品によって付勢された回動可能な案内板とし、前記突起の記録紙に接触する面に相当する位置から前記支点側への前記側板の高さを、前記紙押え・カバーを閉じようとする際に前記突起が記録紙の上部に接触しない高さとし、前記紙押え・カバーの支点を保持する孔の形状を、支点が高さ方向に移動可能な形状とし、紙押え・カバーを閉じた状態においては、紙押え・カバーが案内板を押して、記録紙が前記突起に接触でき且つ案内板が記録紙を正常に案内する位置まで案内板を戻す。
【００１０】
案内板を、記録紙を支点側へ寄せるように弾性部品によって付勢された回動可能な案内板としているので、紙押え・カバーを開いている状態では、記録紙は案内板によって支点側（奥側）へ寄せられる。また、突起の記録紙に接触する面に相当する位置から支点側への側板の高さを、紙押え・カバーを閉じようとする際に突起が記録紙の上部に接触しない高さとしており、且つ紙押え・カバーの支点を高さ方向に移動可能な支点としているので、紙押え・カバーを閉じる過程においては、紙押え・カバーが側板に保持されて、突起が記録紙に接触する位置まで下がってくることはない。紙押え・カバーの支点を高さ方向に移動可能な支点としていることが、このような側板の高さにおける紙押え・カバーの開閉を可能としている。更に、紙押え・カバーを閉じた状態においては、紙押え・カバーが案内板を押して、記録紙が突起に接触でき且つ案内板が記録紙を正常に案内する位置まで案内板を戻すので、記録紙は紙離れの良い状態で正常に供給される。
【００１１】
【発明の実施の形態】
この発明による記録計の紙送り構造の実施の形態について実施例を用いて説明する。
なお、従来技術と同じ機能の部分には同じ符号を付ける。
図１は、この発明による記録計の紙送り構造の実施例を示す紙送りユニット２ａのカバー部分を開いた状態の右側面図であり、図２は、実施例の紙送りユニット２ａの紙押え・カバー２５を閉じる過程の状態を示し、（ａ）は閉じる途中の状態を示す右側面図であり、（ｂ）は閉じ終わった状態を示す右側面図である。
【００１２】
なお、図２においては、紙送りローラ２２の上部は紙押え・カバー２５の陰になるが、この部分も実線で示した。
この実施例の構造を、図５および図６で説明した従来例の構造と比較すると、紙送り用モータから紙送りローラ２２までの記録紙の搬送部分および紙押え・ガイド２７等で構成される受け側紙収納部に関しては、全く同じであるので、この部分の説明は省略し、従来例と異なる送り側紙収納部の構造について、異なる点を中心として説明する。
従来例と異なる点は、下記の３点である。
【００１３】
・  従来例の案内板２８は固定式の案内板であったが、実施例の案内板２８ａは、支点部２８１を中心として回動できる可動式の案内板であって、弾性部品の一種であるばね３０で右方向に付勢されていて、紙押え・カバー２５が開かれている状態においては、図１に示したように、記録紙６を右側へ寄せている。
・  送り側紙収納部の両側の側板２３２のそれぞれの内面に接触させて、支え板３１が配備されている。この支え板３１は、紙押え・カバー２５の突起２５１が記録紙６に接触することを回避させるために配備され、突起２５１が記録紙６に接触しないためには、紙押え・カバー２５の支持突起２５２が支え板３１の上端部に支持されている状態で、突起２５１が記録紙６の上端より上にあることが必要である。この条件を満たすために、支え板３１の高さは、記録紙６の送出し位置（突起の記録紙に接触する面に相当する位置）から記録紙収納位置側に向かって、記録紙６の上端位置より突起２５１の下方への突出分より幾らか大きい寸法だけ高くされている。図１の場合には、記録紙６の収納空間の幅の約２分の１までが高くなっているが、高くする部分の幅は、突起２５１が記録紙６に接触しないという条件を満たしていればよく、記録紙６の収納空間の幅の約２分の１に限定されるものではない。以上の説明から明らかなように、支え板３１は側板２３２の高さを補うための補助部材である。
【００１４】
・  支え板３１を用いるため、紙押え・カバー２５の支点部２５３が回転できるだけの支点で保持されていると、紙押え・カバー２５の支持突起２５２が支え板３１の高い部分にぶつかって、紙押え・カバー２５を閉じることができなくなるので、支点部２５３を保持する側板２３２の孔を円を上下に２分割して中間に長方形を挿入した形状の長孔２３４とし、支点部２５３が上下に移動できるようにしている。この長方形の高さ方向の長さが、支え板３１の高さを側板２３２の高さより高くした分に相当する。
このような構造とすることによって、紙押え・カバー２５を閉じる途中においては、図２（ａ）に示すように、突起２５１が記録紙６の上端より上にあって、記録紙６に接触しないので、記録紙６を噛み込むことがない。紙押え・カバー２５の支持突起２５２が支え板３１の高い部分を過ぎて側板２３２の高さまで下がる過程で、紙押え・カバー２５の記録紙６の案内部が案内板２８ａを押して中央隔壁側（左側）へ回動させ、記録紙６が突起２５１に接触する位置まで案内板２８ａを戻し、突起２５１の紙離れ作用が機能するようになる。
【００１５】
なお、この実施例では、側板２３２の内面に側板２３２の補助部材としての支え板３１を配備したが、側板２３２そのものに支え板３１と同じ高さの部分を形成しても全く同様の効果を得ることができる。
【００１６】
【発明の効果】
請求項１の発明においては、案内板を、記録紙を支点側へ寄せるように弾性部品によって付勢された回動可能な案内板としているので、紙押え・カバーを開いている状態では、記録紙は案内板によって支点側（奥側）へ寄せられる。また、突起の記録紙に接触する面に相当する位置から支点側への側板の高さを、紙押え・カバーを閉じようとする際に突起が記録紙の上部に接触しない高さとしており、且つ紙押え・カバーの支点を高さ方向に移動可能な支点としているので、紙押え・カバーを閉じる過程においては、紙押え・カバーが側板に保持されて、突起が記録紙に接触する位置まで下がってくることはない。紙押え・カバーの支点を高さ方向に移動可能な支点としていることが、このような側板の高さにおける紙押え・カバーの開閉を可能としている。更に、紙押え・カバーを閉じた状態においては、紙押え・カバーが案内板を押して、記録紙が突起に接触でき且つ案内板が記録紙を正常に案内する位置まで案内板を戻すので、記録紙は紙離れの良い状態で正常に供給される。
【００１７】
したがって、この発明によれば、記録紙を噛み込むことがなく且つ記録紙を容易にセットすることができる記録計の紙送り構造を提供することができる。
【図面の簡単な説明】
【図１】この発明による記録計の記録紙送り構造の実施例を示す紙送りユニットのカバー部分を開いた状態の右側面図
【図２】実施例の紙送りユニットの紙押え・カバーを閉じる過程の状態を示し、（ａ）は閉じる途中の状態を示す右側面図、（ｂ）は閉じ終わった状態を示す右側面図
【図３】記録計の従来例の構造を示し、（ａ）は右側面図、（ｂ）は左側面図
【図４】従来例の紙送りユニットの構造を示し、（ａ）は左側面図、（ｂ）は右側面図
【図５】従来例の紙送りユニットに記録紙をセットするためにカバー部分を開いて記録紙をセットした状態を示す右側面図
【図６】従来例の問題点を説明するための紙送りユニットの右側面図
【符号の説明】
１  本体
２  紙送りユニット
２１  ローラ駆動用ギア
２２  紙送りローラ
２３、２３ａ  ケース                    ２３１  紙押付け用孔
２３２  側板                        ２３３  凹部
２３４  長孔
２５  紙押え・カバー                  ２５１  突起
２５２  支持突起                    ２５３  支点部
２７  紙押え・ガイド                  ２７１  支点部
２８、２８ａ    案内板                    ２８１  支点部
３０  ばね
３１  支え板
４  紙送り用モータ
５  伝達ギア群
６  記録紙
【図１】
2005022228.tif 000003
【図２】
2005022228.tif 000004
【図３】
2005022228.tif 000005
【図４】
2005022228.tif 000006
【図５】
2005022228.tif 000007
【図６】
2005022228.tif 000008